(57)【要約】【課題】通常使用時には、針の廃棄作業を安全に行えるとともに操作性も良く、また緊急使用時には、確実に体外循環をクランプで中断、チューブを切断して速やかに避難することができるクランプ及び体外循環回路を提供すること。【解決手段】封止部（２）と底部（３）を屈曲部（４）を介して一体に形成し、当該屈曲部（４）にチューブ挿入孔（９）を形成し、前記封止部（２）と前記底部（３）の対向する上壁面と下壁面に、少なくともそれぞれお互いに対向する二個以上のチューブ挟持部（Ｔ）を形成し、前記封止部（２）と前記底部（３）の前方部から中腹部の間に、それぞれの対向する上壁面と下壁面に、それぞれ少なくとも一対の緊合突起部（５、５Ａ）と緊合溝部（６、６Ａ）を形成したクランプ（１）。【選択図】図１
2006095121.tif 000002
【特許請求の範囲】
【請求項１】
封止部（２）と底部（３）を屈曲部（４）を介して一体に形成し、当該屈曲部（４）にチューブ挿入孔（９）を形成し、
前記封止部（２）と前記底部（３）の対向する上壁面と下壁面に、少なくともそれぞれお互いに対向する二個以上のチューブ挟持部（Ｔ）を形成し、
前記封止部（２）と前記底部（３）の前方部から中腹部の間に、それぞれの対向する上壁面と下壁面に、それぞれ少なくとも一対の緊合突起部（５、５Ａ）と緊合溝部（６、６Ａ）を形成したことを特徴とするクランプ（１）。
【請求項２】
前記封止部（２）または前記底部（３）の前方部から中腹部の間の側壁面に、側壁（７）を形成したことを特徴とする請求項１に記載のクランプ（１）。
【請求項３】
前記少なくとも一対の緊合突起部（５、５Ａ）の間にチューブ挿入孔（１０）を形成したことを特徴とする請求項１ないし請求項２に記載のクランプ（１）。
【請求項４】
動脈側回路（３２）と静脈側回路（３３）に、チューブ（２４）を介して翼付針（２１）を接続し、当該チューブ（２４）の途中に請求項１ないし請求項３に記載のクランプ（１）を装着したことを特徴とする体外循環回路（３１）。
【発明の詳細な説明】
【技術分野】
【０００１】
本発明は、誤刺防止用針カバーと緊急離脱用チューブクランプの双方の役割を兼ねたクランプ及び当該クランプを装着した体外循環回路の改良に関する。
【背景技術】
【０００２】
例えば特許文献１から２には、カバーの両側壁に翼付針の翼を挿入するための斜めに傾斜した溝を形成し、当該溝に翼を挿入すると同時に、針の鋭利な先端をカバー内に収納する誤刺防止用針カバーの発明が開示されている。
また特許文献３に、出願人は、封止部と底部の対向する壁面に、それぞれ二つのチューブ挟持部を形成したクランプの発明を開示した。
特許文献１から２の誤刺防止用針カバーは、翼付針を針の鋭利な先端をカバー内に収納する際に、二段階の操作を両手で行う必要があるため、操作が煩わしいとの指摘があった。
また特許文献３に記載のクランプは、チューブを確実にクランプできるように配慮されているが、誤刺防止用針カバーとしての機能はない。
【０００３】
【特許文献１】特開平８−３８６０１号公報（図１から１５）
【特許文献２】特表平１１−５０６０３６号公報（図１から図９参照）
【特許文献３】特開２００３−２４５３４９号公報（図１から２参照）
【発明の開示】
【発明が解決しようとする課題】
【０００４】
最近、病院サイドから、誤刺防止用針カバーと緊急時に使用できるクランプが待望されているが、これらの双方の機能を有するものはなく、操作性も必ずしも満足できるものはない。
【課題を解決するための手段】
【０００５】
そこで本発明者は以上の課題を解決するために、鋭意検討を重ねた結果次の発明に到達した。
［１］本発明は、封止部（２）と底部（３）を屈曲部（４）を介して一体に形成し、当該屈曲部（４）にチューブ挿入孔（９）を形成し、
前記封止部（２）と前記底部（３）の対向する上壁面と下壁面に、少なくともそれぞれお互いに対向する二個以上のチューブ挟持部（Ｔ）を形成し、
前記封止部（２）と前記底部（３）の前方部から中腹部の間に、それぞれの対向する上壁面と下壁面に、それぞれ少なくとも一対の緊合突起部（５、５Ａ）と緊合溝部（６、６Ａ）を形成したクランプ（１）を提供する。
［２］本発明は、前記封止部（２）または前記底部（３）の前方部から中腹部の間の側壁面に、側壁（７）を形成した［１］に記載のクランプ（１）を提供する。
［３］本発明は、前記少なくとも一対の緊合突起部（５、５Ａ）の間にチューブ挿入孔（１０）を形成した［１］ないし［２］に記載のクランプ（１）を提供する。
［４］本発明は、動脈側回路（３２）と静脈側回路（３３）に、チューブ（２４）を介して翼付針（２１）を接続し、当該チューブ（２４）の途中に［１］ないし［３］に記載のクランプ（１）を装着した体外循環回路（３１）を提供する。
【発明の効果】
【０００６】
通常使用時において、翼付針等のチューブ２４は、チューブ挟持部Ｔにより挟持され、針２２も同チューブ挟持部Ｔにより挟持され、緊合突起部５と緊合溝部６は、容易に開かないので、針２２の鋭利な先端は、外に露出することはない。これにより、針の廃棄作業を安全に行える。また操作も片手で行えるので、操作性が良い。
また緊急使用時において、翼付針等のチューブ２４は、チューブ挟持部Ｔにより二箇所で挟持され、緊合突起部５と緊合溝部６は、容易に開かないので、確実に体外循環をクランプ１で中断して、チューブ２４を切断して、速やかに避難することができる。
【発明を実施するための最良の形態】
【０００７】
図１は本発明のクランプの概略図、図２は図１の断面図、図３は本発明のクランプの使用状態図（通常使用時）、図４は図３の断面図、図５は本発明のクランプの使用状態図（緊急使用時）、図６は図５の断面図である。
図７は図１の一部拡大図、図８は図７のその他の実施例を示す一部拡大図、図９は本発明の体外循環回路、クランプの使用状態図（緊急使用時）である。
本発明のクランプ１は図１、図２に例示するように、封止部２と底部３を屈曲部４を介して一体に形成し、当該屈曲部４にチューブ挿入孔９を形成している。
前記封止部２と前記底部３の対向する上壁面と下壁面に、少なくともそれぞれお互いに対向する二個以上のチューブ挟持部Ｔを形成している。チューブ挟持部Ｔは、三個ないし四個形成しても良い。
前記封止部２と前記底部３の前方部から中腹部の間に、それぞれの対向する上壁面と下壁面に、それぞれ少なくとも一対の緊合突起部５、５Ａと緊合溝部６、６Ａを形成している。緊合突起部５、５Ａと緊合溝部６、６Ａは、前記封止部２と前記底部３の前方部から中腹部の間であれば、どこに形成しても良い。
【０００８】
さらに前記封止部２または前記底部３の前方部から中腹部の間の側壁面に、側壁７を形成している。側壁７も前記封止部２または前記底部３のどちらか一方に形成し、これらの前方部から中腹部の間であればどこに形成しても良い。側壁７を形成することにより、翼付針２１をクランプ１内に確実に収納することができる。
また前記少なくとも一対の緊合突起部５、５Ａの間にチューブ挿入孔１０を形成している。緊合突起部５、５Ａは二対以上形成しても良い。
また前記封止部２と前記底部３の天面と底面に突部８を形成することにより、片手で把握しやすくなり、操作性が向上する。
【０００９】
緊合突起部５、５Ａと緊合溝部６、６Ａは、図１、図７、８に例示するように、相互に緊合でき、一度緊合したら、外部からドライバー等で強制的に開けようとしない限り、二度と開かない形態の組み合わせであれば何でもよい。したがって本発明の「緊合」の形態の組み合わせは、係合、嵌合の双方を含む。
図１、図７、８の例示では緊合突起部５、５Ａは、封止部２内壁面側、緊合溝部６、６Ａは、底部３の内壁面側に形成されているが、緊合突起部５、５Ａを底部３の内壁面側、緊合溝部６、６Ａを、封止部２の内壁面側に形成しても良い。
図７に例示するように、緊合突起部５の突起を外側に形成しても良いし、図８に例示するように、緊合突起部５Ａの突起を内側に形成しても良い。
【００１０】
次に本発明のクランプ１の使用方法の一例について説明する。
［通常使用時］
図１（図２）の状態（クランプ１が翼付針２１のチューブ２４に装着された状態、さらに詳述すれば、クランプ１の緊合突起部５と緊合溝部６が開いた状態にあり、翼付針２１のチューブ２４が、クランプ１のチューブ挿入孔９、１０に挿入された状態）から、片手でクランプ１を把握し、同片手で、屈曲部４壁面を針２２方向に押して、クランプ１を針２２方向に前進させる。クランプ１の前進中、チューブ２４は側壁２４にガイドされているので、針２２を確実にクランプ１内（封止部２と底部３の対向する上壁面と下壁面の間の空間内）に収納することができる。
翼２３が屈曲部４の壁面の当接するまで、クランプ１を前進させ、針２２の鋭利な先端をクランプ１内（封止部２と底部３の対向する上壁面と下壁面の間の空間内）に収納し、緊合突起部５を緊合溝部６方向に押し下げて、これらを緊合する。
チューブ２４は、チューブ挟持部Ｔにより挟持され、針２２も同チューブ挟持部Ｔにより挟持されており、緊合突起部５と緊合溝部６は、容易に開かないので、針２２の鋭利な先端は、外に露出することはない。
これにより、針の廃棄作業を安全に行える。
また操作も片手で行えるので、操作性が良い。
【００１１】
［緊急使用時］
図９に例示するように体外循環回路３１の動脈側回路３２と静脈側回路３３に、コネクタ２５、３５を介して、クランプ１をチューブ２４の途中に装着した翼付針２１を接続した状態（体外循環時）から、地震等の天災地変がおきた場合、図５（図６）に例示するように、クランプ１を閉じる（緊合突起部５を緊合溝部６方向に押し下げて、これらを緊合する）。
チューブ２４は、チューブ挟持部Ｔにより二箇所で挟持され、緊合突起部５と緊合溝部６は、容易に開かないので、確実に体外循環をクランプ１で中断して、コネクタ２５、３５とクランプ１間のチューブ２４を切断して、速やかに避難することができる。
【図面の簡単な説明】
【００１２】
【図１】本発明のクランプの概略図
【図２】図１の断面図
【図３】本発明のクランプの使用状態図（通常使用時）
【図４】図３の断面図
【図５】本発明のクランプの使用状態図（緊急使用時）
【図６】図５の断面図
【図７】図１の一部拡大図
【図８】図７のその他の実施例を示す一部拡大図
【図９】本発明の体外循環回路・クランプの使用状態図（緊急使用時）
【符号の説明】
【００１３】
１  クランプ
２  封止部
３  底部
４  屈曲部
５、５Ａ  緊合突起部
６、６Ａ  緊合溝部
Ｔ  チューブ挟持部
７  側壁
８  突部
９、１０  チューブ挿入孔
２１  翼付針
２２  針
２３  翼
２４  チューブ
２５  コネクタ
３１  体外循環回路
３２  動脈側回路
３３  静脈側回路
３５  コネクタ
【図１】
2006095121.tif 000003
【図２】
2006095121.tif 000004
【図３】
2006095121.tif 000005
【図４】
2006095121.tif 000006
【図５】
2006095121.tif 000007
【図６】
2006095121.tif 000008
【図７】
2006095121.tif 000009
【図８】
2006095121.tif 000010
【図９】
2006095121.tif 000011